(57)【要約】【課題】極めて簡単な構成で境界標示具の引き抜きや回動を防止することができ、かつ経済的な境界標示具を提供するものである。【解決手段】表面に境界標示部を有する鋳鉄製プレートと前記鋳鉄製プレートの下部に一体に形成されたコンクリート柱部とからなる標示具において、前記鋳鉄製プレートの裏面には内ねじ部が形成されていて、前記内ねじ部に螺着するねじ部を一側に有し、他側には横方向及び上下方向に突出する多方向突出部を有するアンカー部材が前記コンクリート柱部に一体に埋設されていることを特徴とする境界標示具である。前記多方向突出部は、隣接する板片部を交互に上方向若しくは下方向にひねり折り曲げて形成されている場合があり、単一の板部材から形成されていることもある。【選択図】図２
0003113267.tif 000002
【実用新案登録請求の範囲】
【請求項１】
表面に境界標示部を有する鋳鉄製プレートと前記鋳鉄製プレートの下部に一体に形成されたコンクリート柱部とからなる標示具において、
前記鋳鉄製プレートの裏面には内ねじ部が形成されていて、前記内ねじ部に螺着するねじ部を一側に有し、他側には横方向及び上下方向に突出する多方向突出部を有するアンカー部材が前記コンクリート柱部に一体に埋設されていることを特徴とする境界標示具。
【請求項２】
前記多方向突出部が、隣接する板片部を交互に上方向若しくは下方向にひねり折り曲げて形成されている請求項１に記載の境界標示具。
【請求項３】
前記多方向突出部が、単一の板部材から形成されている請求項２に記載の境界標示具。
【考案の詳細な説明】
【技術分野】
【０００１】
本考案は、境界標示具に関し、特には多方向突出部を有するアンカー部材を備えた境界標示具に関する。
【背景技術】
【０００２】
土地の境界や測量における基準点を明示するために、境界標示具が用いられている。図６に示すように、従来の一般的な境界標示具６０は、表面に境界標示部７５を有する鋳鉄製プレート７０と前記鋳鉄製プレート７０の下部に一体に形成されたコンクリート柱部８０とからなり、前記鋳鉄製プレート７０の裏面には内ねじ部７２が形成されていて、前記内ねじ部にアンカー部材８５がナット８６により螺着され、前記コンクリート柱部８０に一体に埋設される構造である。
【０００３】
しかしながら、図６に示したような従来の境界標示具６０においては、上方向に引き上げたり、回転方向や横方向への負荷をかけると、それに対して抗うような構造を有していないため、アンカー部材８５が螺着された前記鋳鉄製プレート７０がコンクリート柱部８０から引き抜かれたり、回動が容易なために標示具の向きを別の向きにされたり、ずれたりすることなどがあった。
【０００４】
このようなことを防止するために、アンカー部材を１つの標示具に対して３箇所備え、かつ、それぞれのアンカー部材にさらにアンカー部材を複数個接続して、長さが調節できる境界標示具（登録実用新案第３０１７３７９号公報参照）などが提案されている。しかし、アンカー部材を備える箇所を増やし、長さを長くしたとしても、上方向に引き抜き易いことに、変わりはなく、部品点数に伴い、コストが高くなることも予想される。
【０００５】
また、地中からの引き抜きを防止するために、地中埋設部分に複数個の突起羽根を設けた境界標（実開昭５７−１３９８１０）もあるが、突起羽根があることで、比較的引き抜き難い構造ではあるものの、容易に回動させることが可能である。
【考案の開示】
【考案が解決しようとする課題】
【０００６】
従って、本考案は、前記の問題点を鑑み、極めて簡単な構成で境界標示具の引き抜きや回動を防止することができ、かつ経済的な境界標示具を提供することを目的とするものである。
【課題を解決するための手段】
【０００７】
すなわち、請求項１の考案は、表面に境界標示部を有する鋳鉄製プレートと前記鋳鉄製プレートの下部に一体に形成されたコンクリート柱部とからなる標示具において、前記鋳鉄製プレートの裏面には内ねじ部が形成されていて、前記内ねじ部に螺着するねじ部を一側に有し、他側には横方向及び上下方向に突出する多方向突出部を有するアンカー部材が前記コンクリート柱部に一体に埋設されていることを特徴とする境界標示具に係る。
【０００８】
請求項２の考案は、前記多方向突出部が、隣接する板片部を交互に上方向若しくは下方向にひねり折り曲げて形成されている請求項１に記載の境界標示具に係る。
【０００９】
請求項３の考案は、前記多方向突出部が、単一の板部材から形成されている請求項２に記載の境界標示具に係る。
【考案の効果】
【００１０】
請求項１の考案に係る境界標示具は、表面に境界標示部を有する鋳鉄製プレートと前記鋳鉄製プレートの下部に一体に形成されたコンクリート柱部とからなる標示具において、前記鋳鉄製プレートの裏面には内ねじ部が形成されていて、前記内ねじ部に螺着するねじ部を一側に有し、他側には横方向及び上下方向に突出する多方向突出部を有するアンカー部材が前記コンクリート柱部に一体に埋設されているので、境界標示具の引き抜きや回動を防止することができる。
【００１１】
請求項２の考案は、前記多方向突出部が、隣接する板片部を交互に上方向若しくは下方向にひねり折り曲げて形成されているので、より効果的に境界標示具の引き抜きや回動を防止することができる。
【００１２】
請求項３の考案は、前記多方向突出部が、単一の板部材から形成されているので、極めて簡単かつ経済的な構成で、境界標示具の引き抜きや回動を防止することができる。
【考案を実施するための最良の形態】
【００１３】
以下添付の図面に従って、この考案を詳細に説明する。図１は本考案の一実施例に係る境界標示具の全体斜視図、図２は図１の断面図、図３は多方向突出部の拡大斜視図、図４は多方向突出部を形成する単一の板部材の一例に係る平面図、図５は多方向突出部を形成する単一の板部材の別例に係る平面図である。
【００１４】
請求項１に規定し、図示したように、境界標示具１０は、表面に境界標示部２５を有する鋳鉄製プレート２０と前記鋳鉄製プレート２０の下部に一体に形成されたコンクリート柱部３０とからなる。境界標示部２５には、境界を示す矢印や十字などのマーク２６や、都道府県や市町村を示す紋章、市章などを標示し、その部分が目立つように赤色等の樹脂系の塗料などで着色することが望ましい。また、地表から露出する箇所は、錆を防止するために、亜鉛メッキなどで保護することもできる。鋳鉄製プレート２０の大きさは、特に限定されないが、１００〜１２０×１００〜１２０ｍｍ程度の大きさで、厚みは２０〜３０ｍｍであることが好ましい。コンクリート柱部３０として、圧縮にも引張りにも強い部材とするため、鉄筋コンクリートを用いることもできる。コンクリート柱部３０の高さは、地質の状態に応じて調製することも可能であるが、ある程度の強度を保持するために、６００〜９００ｍｍ程度であることが望ましい。
【００１５】
前記鋳鉄製プレート２０の裏面２１には内ねじ部２２が形成されていて、前記内ねじ部２２に螺着するねじ部４１を一側４０Ａに有し、他側４０Ｂには横方向及び上下方向に突出する多方向突出部５０を有するアンカー部材４０が前記コンクリート柱部３０に一体に埋設されている。アンカー部材４０としては、長さが１００ｍｍ、直径が８ｍｍ程度の汎用性の高いボルトなどを用いることができる。前記鋳鉄製プレート２０とアンカー部材４０は、鋳鉄製プレートに形成された内ねじ部２２とアンカー部材４０に設けられたねじ部４１により螺着され、螺着部分が緩まないようにさらにナット４５により、螺着することが好ましい。また、アンカー部材４０は、他側４０Ｂに横方向及び上下方向に突出する多方向突出部５０を有しているが、アンカー部材４０と多方向突出部５０は、溶接により溶接部４６を形成して、係止することができる。
【００１６】
前記多方向突出部５０について説明すると、請求項２に示し、図３に示すように、隣接する板片部５１を交互に上方向若しくは下方向にひねり折り曲げて形成されている。隣接する板片部５１を交互に上方向若しくは下方向に折り曲げることにより、コンクリート柱部３０にアンカー部材４０が確実に固定され、上下方向の力が加わったときに、コンクリート柱部３０からアンカー部材４０がズレにくく、引き抜きを防止することができる。さらに、板片部５１をひねり折り曲げることで、回転方向、横方向からの力にも抗うことができる。
【００１７】
前記多方向突出部５０の形状、大きさは特に限定はなく、板片部５１の数にも限定はないため、必要に応じて変更することができる。前記多方向突出部５０の材質は、耐久性や強度を保持するために、金属製の板片を用い、板片の厚さは加工のし易さから、２ｍｍ程度であることが望ましい。
【００１８】
また、前記多方向突出部５０は、請求項３に規定するように、単一の板部材５２から形成することができる。図３に示す多方向突出部５０の場合は、正方形の金属製の板部材を十文字状に残して切り落とすことで、板片部５１が４カ所作出される。そして、隣接する板片部を交互に上方向若しくは下方向にひねり折り曲げて形成されている。このように、単一の板部材５２から多方向突出部５０を形成することで、部品点数が少なくコスト的にも有利な境界標示具１０を容易に得ることができる。
【００１９】
単一の板部材５２の形状は、特に限定されず、正方形や円形などのものを用いて、多方向突出部５０を形成することができる。また、前記単一の板部材５２の中央部には、アンカー部材４０が挿通できる穴部５３を形成する必要がある。一例として、図４に示すように、単一の板部材５２が正方形の場合は、中央穴部５３から、板部材５２の強度を十分保持できる間隔を確保できる距離を残し、板部材５２の４つの頂点から中央穴部５３方向へ、それぞれに切り込みｃを入れる。そうすると、板片部５１を８カ所作出でき、板片５１Ａを上方向へねじり折り曲げ、板片５１Ａに隣接する板片５１Ｂは、下方向へねじり折り曲げることにより、容易に多方向突出部５０を形成することができる。
【００２０】
同様にして、単一の板部材５２が円形である場合は、図５に示すように、中央穴部５３から、板部材５２の強度を十分保持できる間隔を確保できる距離を残し、板部材５２において、円の外周から中央部５３に向けて、切り込みｃを４カ所入れる。板片部５１は８カ所作出できるので、板片５１Ａを下方向へねじり折り曲げ、板片５１Ａに隣接する板片５１Ｂは、上方向へねじり折り曲げることにより、簡単に多方向突出部５０を形成することができる。
【図面の簡単な説明】
【００２１】
【図１】本考案の一実施例に係る境界標示具の全体斜視図である。
【図２】図１の断面図である。
【図３】多方向突出部の拡大斜視図である。
【図４】多方向突出部を形成する単一の板部材の一例に係る平面図である。
【図５】多方向突出部を形成する単一の板部材の別例に係る平面図である。
【図６】従来品の一例に係る断面図である。
【符号の説明】
【００２２】
１０  境界標示具
２０  鋳鉄製プレート
２１  鋳鉄製プレートの裏面
２２  内ねじ部
２５  境界標示部
３０  コンクリート柱部
４０  アンカー部材
４１  ねじ部
５０  多方向突出部
５１，５１Ａ，５１Ｂ  板片部
５２  単一の板部材
【図１】
0003113267.tif 000003
【図２】
0003113267.tif 000004
【図３】
0003113267.tif 000005
【図４】
0003113267.tif 000006
【図５】
0003113267.tif 000007
【図６】
0003113267.tif 000008